(57)【要約】【課題】十分な奥行き感が得られ、リアルな画像を視認させることができる、疑似窓を提供する。【解決手段】この疑似窓１０は、壁面１に取付けられた窓枠２２及び窓枠２２に嵌め込まれた透明板２８を有する窓本体２０と、窓本体２０の背面側に配置されて、透明板２８を通して表示画像を視認させる画像表示装置３９とを備え、画像表示装置３０は、窓本体２０の背面側に所定間隔を開けて配置されると共に、窓本体２０の前面側から通常の使用態様において取り得る距離及び角度の範囲で、透明板２８を通して表示画像を見たとき、表示画像の外周が見えないように、画像表示装置３０の表示画像の表示面３４が、窓枠２２よりも大きくされている。【選択図】図４
2013143614.tif 000002
【特許請求の範囲】
【請求項１】
壁面に取付けられた窓枠及び該窓枠に嵌め込まれた透明板を有する窓本体と、
該窓本体の背面側に配置されて、該窓本体の透明板を通して表示画像を視認させる画像表示装置とを備えた疑似窓において、
前記画像表示装置は、前記窓本体の背面側に所定間隔を開けて配置されると共に、前記窓本体の前面側から通常の使用態様において取り得る距離及び角度の範囲で前記窓本体の透明板を通して前記表示画像を見たとき、前記表示画像の外周が見えないように、前記画像表示装置の表示画像の表示面が前記窓枠よりも大きくされていることを特徴とする疑似窓。
【請求項２】
前記窓枠に対して前記画像表示装置の表示面は５〜２０ｃｍ離れて配置され、前記窓枠に嵌った透明板の端の部分を、前記窓枠の外周方向に向けて前記窓枠の中央に配置された透明板に対して４０°より大きい角度で見たとき、前記表示画像の外周が見えないように設定されている請求項１記載の疑似窓。
【請求項３】
前記画像表示装置の表示面は、前記窓枠の大きさに対して、左右方向が１．４〜２．０
倍、上下方向が１．４〜２．０倍となるようにされている請求項１又は２記載の疑似窓。
【請求項４】
前記窓本体の窓枠は、前記画像表示装置の表示面とほぼ平行に配置された中央窓枠と、該中央窓枠の両側から前面側に次第に突出するように、前記画像表示装置の表示面に対して傾斜して配置された側方窓枠とを有し、
前記画像表示装置の表示面は、前記中央窓枠及び前記側方窓枠を正面側から前記画像表示装置の表示面に対して垂直に見たときの窓枠の大きさよりも大きくされている請求項１〜３のいずれか１つに記載の疑似窓。
【請求項５】
前記側方窓枠は、前記中央窓枠に対して２０〜４０°の角度で傾斜している請求項１〜４のいずれか１つに記載の疑似窓。
【請求項６】
前記画像表示装置は、屋外に配置されたカメラによって撮像された画像をリアルタイムで表示するように構成されている請求項１〜５のいずれか１つに記載の疑似窓。
【発明の詳細な説明】
【技術分野】
【０００１】
本発明は、例えば、地下室等の窓のない室内に設置され、画像表示装置に映し出された画像を、窓から見える風景として見ることができる、疑似窓に関する。
【背景技術】
【０００２】
例えば、ビルの地下室等の窓のない部屋や、構造上の理由等で窓を設けることができない部屋などにおいては、部屋の利用者は閉塞感等を感じる場合があり、心理的な悪影響が生じることがあった。そこで、このような地下室等の部屋の壁面に窓枠を取付けておき、この窓枠内に風景や絵画等の画像を表示させて、窓から見える風景として視認させることができる、疑似窓が設置される場合がある。
【０００３】
従来のこの種の疑似窓として、下記特許文献１には、周縁部分を構成する窓枠部と、この窓枠部の開口部に保持され、映像を表示することができる薄型の平面型の表示装置とから構成された疑似窓が開示されている。その実施形態には、前記窓枠部は、横長枠状の木枠と、この木枠の内周に保持された金属枠とからなり、この窓枠部を構成する金属枠の背面内周に、液晶ディスプレイ等よりなる平面型の表示装置が保持されることが記載されている。
【先行技術文献】
【特許文献】
【０００４】
【特許文献１】特開平９−２０５６０２号公報
【発明の概要】
【発明が解決しようとする課題】
【０００５】
ところで、実際の窓から屋外の風景を見る場合は、窓から近い位置からの見え方や、窓から離れた位置からの見え方、更には窓の斜めからの見え方は、それぞれ異なっている。
【０００６】
これに対して上記特許文献１に記載の疑似窓では、窓枠部の金属枠内周に保持された平面型の表示装置により映し出された画像を見るようになっているので、表示装置を遠くから見た場合、近くから見た場合、斜めから見た場合のいずれも、ほぼ同じような画像を見ることとなり、奥行き感が乏しく、リアルな風景を楽しむことは難しい。
【０００７】
したがって、本発明の目的は、十分な奥行き感が得られ、リアルな風景を視認させることができる、疑似窓を提供することにある。
【課題を解決するための手段】
【０００８】
上記目的を達成するため、本発明の疑似窓は、壁面に取付けられた窓枠及び該窓枠に嵌め込まれた透明板を有する窓本体と、該窓本体の背面側に配置されて、該窓本体の透明板を通して表示画像を視認させる画像表示装置とを備えた疑似窓において、前記画像表示装置は、前記窓本体の背面側に所定間隔を開けて配置されると共に、前記窓本体の前面側から通常の使用態様において取り得る距離及び角度の範囲で前記窓本体の透明板を通して前記表示画像を見たとき、前記表示画像の外周が見えないように、前記画像表示装置の表示画像の表示面が前記窓枠よりも大きくされていることを特徴とする。
【０００９】
上記発明によれば、窓本体の前面側から、通常の使用態様において取り得る距離及び角度の範囲で、近づいたり、離れたり、正面を向いたり、斜めに向いたりして、窓枠の透明板を通して表示面を見たとき、窓枠の端の方に今まで見えていなかった表示画像が見えてくることにより、窓枠の透明板を通して見る表示画像に奥行き感がでて、表示画像をよりリアルな風景として視認させることが可能となる。
【００１０】
本発明の疑似窓においては、前記窓枠に対して前記画像表示装置の表示面は５〜２０ｃｍ離れて配置され、前記窓枠に嵌った透明板の端の部分を、前記窓枠の外周方向に向けて前記窓枠の中央に配置された透明板に対して４０°より大きい角度で見たとき、前記表示画像の外周が見えないように設定されていることが好ましい。
【００１１】
この態様によれば、窓枠に対して画像表示装置の表示面が５〜２０ｃｍ離れて配置されているので、奥行き感を効果的に付与することができると共に、通常の使用態様において、窓を斜めから見た場合でも、表示画像の外周が見えないので、疑似窓であることを気づきにくくさせることができる。
【００１２】
本発明の疑似窓においては、前記画像表示装置の表示面は、前記窓枠の大きさに対して、左右方向が１．４〜２．０倍、上下方向が１．４〜２．０倍となるようにされていることが好ましい。この態様によれば、通常の使用態様において取り得る距離及び角度の範囲で前記窓本体の透明板を通して前記表示画像を見たとき、前記表示画像の外周が見えないようにするのに十分な大きさを付与することができる。
【００１３】
本発明の疑似窓においては、前記窓本体の窓枠は、前記画像表示装置の表示面とほぼ平行に配置された中央窓枠と、該中央窓枠の両側から前面側に次第に突出するように、前記画像表示装置の表示面に対して傾斜して配置された側方窓枠とを有し、前記画像表示装置の表示面は、前記中央窓枠及び前記側方窓枠を正面側から前記画像表示装置の表示面に対して垂直に見たときの窓枠の大きさよりも大きくされていることが好ましい。この態様によれば、側方窓枠を通して、表示画像の側方部分が見やすくなり、両側の奥行き感をより高め、窓から見える視野を広げて開放感を高めることができる。
【００１４】
本発明の疑似窓においては、前記側方窓枠は、前記中央窓枠に対して２０〜４０°の角度で傾斜していることが好ましい。この態様によれば、側方窓枠を通して、表示画像の側方部分がより見やすくなり、両側の奥行き感をより高めることができる。
【００１５】
本発明の疑似窓においては、前記画像表示装置は、屋外に配置されたカメラによって撮像された画像をリアルタイムで表示するように構成されていることが好ましい。この態様によれば、屋外に配置されたカメラによって撮像された画像をリアルタイムで表示することにより、現実の屋外の風景をリアルタイムで表示させることができ、実際の窓により近い印象を与えることができる。
【発明の効果】
【００１６】
本発明によれば、窓本体の前面側から、通常の使用態様において取り得る距離及び角度の範囲で、近づいたり、離れたり、正面を向いたり、斜めに向いたりして、窓枠の透明板を通して表示面を見たとき、窓枠の端の方に今まで見えていなかった表示画像が見えてくることにより、窓枠の透明板を通して見る表示画像に奥行き感がでて、表示画像をよりリアルな風景として視認させることが可能となる。
【図面の簡単な説明】
【００１７】
【図１】本発明に係る疑似窓の一実施形態を示す斜視図である。
【図２】同疑似窓を背面側から見た場合の斜視図である。
【図３】同疑似窓を正面から見た場合の説明図である。
【図４】同疑似窓を平面から見た場合の説明図である。
【図５】同疑似窓を側面から見た場合の説明図である。
【発明を実施するための形態】
【００１８】
以下、図面を参照して、本発明の疑似窓の一実施形態について説明する。
【００１９】
図１〜５に示すように、この疑似窓１０は、部屋等の壁面１に設けられた開口部３に取付けられた窓枠２２、及び、この窓枠２２に嵌め込まれた透明板２８を有する窓本体２０と、この窓本体２０の背面側に配置されると共に、表示面３４に所定の画像を表示して、この表示画像を窓本体２０の透明板２８を通して視認させる画像表示装置３０とを備えている。
【００２０】
図１に示すように本実施形態における窓本体２０は、壁面１の開口部３の周縁から後方に突出した出窓状の取付壁部５を有しており、この取付壁部５の背面に前記窓枠２２が取付けられている。
【００２１】
図３及び図４に示すように、窓枠２２は、画像表示装置３０の表示面３４とほぼ平行に配置された中央窓枠２４と、この中央窓枠２４の両側から前面側に次第に突出するように、画像表示装置３０の表示面３４に対して傾斜して配置された側方窓枠２６，２６とを有している。前記中央窓枠２４は横方向に長く伸びる横長の四角枠状をなし、この中央窓枠２４の両側に配置された各側方窓枠２６は、縦方向に長く伸びる縦長の四角枠状をなしている。
【００２２】
更に図４に示すように、各側方窓枠２６の中央窓枠２４に対する傾斜角度θ１は、２０〜４０°が好ましく、２５〜３５°がより好ましい。前記角度θ１が２０°未満であると、側方窓枠２６による奥行き感の増大効果が得られにくく、４０°を超えると、表示画像の外周が見えなくすることが難しくなる。
【００２３】
また、中央窓枠２４及び側方窓枠２６，２６には、それぞれ透明板２８が嵌め込まれている。透明板２８としては、例えば、ガラス板、樹脂板、樹脂フィルムなどを用いることができ、また、完全な透明である必要はなく、透過率を調整したものであったり、色付きであったり、偏向フィルムが付されていたり、半透明であったりしてもよい。
【００２４】
上記窓本体２０の背面側に配置される画像表示装置３０は、この実施形態の場合、図２〜５に示すように、横方向に長く伸びる本体３２と、この本体３２に保持される表示面３４とを有しており、例えば、薄型の液晶ディスプレイ、プラズマディスプレイ、有機ＥＬディスプレイ等を採用することができる。
【００２５】
また、図４及び図５に示すように、この画像表示装置３０には、屋外に配置されたカメラ４０が接続されており、このカメラ４０によって撮像された画像が、前記表示面３４に表示されるようになっている。このカメラ４０は、動画をリアルタイムで撮像可能なビデオカメラであることが好ましい。なお、前記画像表示装置３０に、ビデオテープレコーダー、ＤＶＤレコーダー、ブルーレイディスクレコーダー、ハードディスクレコーダー等の外部記録装置や、パソコンなどを接続しておき、予め撮像した画像を前記表示面３４に表示させるようにしてもよい。
【００２６】
そして、上記画像表示装置３０は、窓本体２０の背面側に所定間隔をあけて配置されていると共に、窓本体２０の前面側から通常の使用態様において取り得る距離及び角度の範囲で、窓本体２０の透明板２８を通して表示画像を見たとき、その表示画像の外周が見えないように、画像表示装置３０の表示画像の表示面３４が、窓枠２２よりも大きくされている（図２〜５参照）。
【００２７】
具体的には、図４に示すように、窓枠２２の中央窓枠２４に対して画像表示装置３０の表示面３４は、５〜２０ｃｍの距離Ｄで離れて配置されていることが好ましい。距離Ｄは５〜１０ｃｍがより好ましく、７〜９ｃｍであることが最も好ましい。この距離Ｄが５ｃｍ未満であると、奥行き感が不足する。一方、距離Ｄが２０ｃｍを超えると、表示面３４の外周が見えないようにするためには、画像表示装置３０が大きくなりすぎて、コスト高となると共に、設置スペースが増大する。
【００２８】
また、窓枠２２に嵌った透明板２８の端の部分、この実施形態では、各側方窓枠２６に嵌った透明板２８の両端、及び各透明板２８の上下端を通して、窓枠２２の外周方向に向けて窓枠２２の中央に配置された透明板２８に対して４０°より大きい角度で見たとき、表示画像の外周が見えないように設定されていることが好ましい。
【００２９】
すなわち、図４において、各側方窓枠２６に嵌った透明板２８の両側端を通して、窓枠２２の外周方向Ｒ１に向けて、窓枠２２の中央に配置された透明板２８に対してθ２＝４０°以上の角度で見たとき、表示面３４の外周が見えないように設定されていることが好ましい。表示面３４の外周が見えない角度θ２は、３０°以上とされていることがより好ましい。
【００３０】
また、図５において、窓枠２２に嵌った透明板２８の上下端を通して、窓枠２２の外周方向Ｈに向けて、窓枠２２の中央に配置された透明板２８に対してθ３＝４０°以上の角度で見たとき、表示面３４の外周が見えないように設定されていることが好ましい。表示面３４の外周が見えない角度θ３は、３０°以上とされていることがより好ましい。
【００３１】
このように、窓枠に嵌った透明板２８の端の部分を通して、窓枠２２の外周方向に向けて視認したときに、表示面３４の外周が見えないようにすることにより、画像表示装置３０による表示であることを感じさせずに、奥行き感を効果的に出すことができ、本物の窓の風景のような印象を与えやすくすることができる。
【００３２】
また、上記目的のため、画像表示装置３０の表示面３４は、中央窓枠２４及び側方窓枠２６，２６を正面側から画像表示装置の表示面３４に対して垂直に見たときの、窓枠２２の大きさ（中央窓枠２４及び側方窓枠２６，２６を含む大きさを意味する）よりも大きく形成されている。
【００３３】
具体的には図３に示すように、窓枠２２の左右方向の幅をＭ１とし、上下方向の高さをＭ２としたとき、画像表示装置３０の表示面３４の左右方向の幅Ｇ１は、窓枠２２の幅Ｍ１の１．４〜２．０倍であることが好ましく、１．６〜２．０倍であることがより好ましい。また、同表示面３４の上下方向の高さＧ２は、窓枠２２の高さＭ２の１．４〜２．０倍であることが好ましく、１．６〜２．０倍であることがより好ましい。
【００３４】
上記表示面３４の幅Ｇ１又は高さＧ２が、窓枠２２の幅Ｍ１又は高Ｍ２の１．４倍未満であると、表示面３４の外周を視認しやすくなり、また、表示面３４の幅Ｇ１又は高さＧ２が、窓枠２２の幅Ｍ１又は高Ｍ２の２．０倍を超えると、表示面３４の通常は視認しない領域が増えて無駄が多くなる。
【００３５】
なお、本発明において、窓枠の大きさとは、窓枠２２に嵌った透明板２８を通して視認できる領域の全体を囲む外周の大きさであって、画像表示装置３０の表示面３４に対して垂直に見たときの大きさを意味する。
【００３６】
次に上記構造からなる疑似窓１０の作用効果について説明する。
【００３７】
すなわち、この疑似窓１０を利用する際には、窓本体２０の透明板２８を通して、画像表示装置３０の表示面３４に表示された表示画像を視認する。このとき、画像表示装置３０は、窓本体２０の背面側に所定間隔を開けて配置されていると共に、窓本体２０の前面側から通常の使用態様において取り得る距離及び角度の範囲で、透明板２８を通して画像表示装置３０の表示面３４に表示される表示画像を見たとき、表示画像の外周が見えないように、表示面３４が窓枠２２よりも大きく設定されている。
【００３８】
そのため、窓本体２０の前面側から、近づいたり、離れたりして、正面を向いたり、斜めに向いたりして（図４の視認方向Ｒ１及び図５の視認方向Ｈ参照）、透明板２８を通して表示面３４を見たとき、窓枠２２の端の方に今まで見えていなかった表示画像が見えてくるので、透明板２８を通して見る表示画像に奥行き感がでて、表示画像をよりリアルな風景として視認させることができる。
【００３９】
特にこの実施形態では、窓枠２２は、中央窓枠２４と、その両側から前面側に次第に突出するように配置された一対の側方窓枠２６，２６とを有しているため、図４の視認方法Ｒ１で示すように、側方窓枠２６の透明板２８を通して、表示面３４の表示画像を斜めから見ることができるので、表示画像の側方部分が見えやすくなり、両側の奥行き感を高め、窓枠２２から見える視野を広げて開放感を高めることができる。
【００４０】
このとき、図４に示すように、各側方窓枠２６が中央窓枠２４に対して、好ましくは２０〜４０°、より好ましくは２５〜３５°の角度θ１で傾斜している場合には、側方窓枠２６の透明板２８を通して、表示面３４の表示画像の側方部分がより見やすくなるので、両側の奥行き感をより高めることができる。
【００４１】
また、この実施形態では、図４に示すように、窓枠２２の中央窓枠２４に対する画像表示装置３０の表示面３４は、好ましくは５〜２０ｃｍ、より好ましくは５〜１０ｃｍの距離Ｄで離れて配置され、窓枠２２の透明板２８の端の部分を通して、窓枠２２の中央の透明板２８に対して、好ましくは４０°以上、より好ましくは３０°以上の角度で見たときに、表示画像の外周が見えないように設定されているので、奥行き感を効果的に付与することができると共に、疑似窓であることを気づきにくくさせることができる。
【００４２】
更に図３に示すように、画像表示装置３０の表示面３４の左右方向の幅Ｇ１が窓枠２２の幅Ｍ１の好ましくは１．４〜２．０倍、より好ましくは１．６〜２．０倍とされ、同表示面３４の上下方向の高さＧ２が窓枠２２の高さＭ２の好ましくは１．４〜２．０倍、より好ましくは１．６〜２．０倍とされている場合には、通常の使用態様において取り得る距離及び角度の範囲で、透明板２８を通して表示面３４の表示画像を見たときに、表示面３４に表示される表示画像を、その外周が見えないようにするのに十分な大きさとすることができ、よりリアルな画像を提供することができる。
【００４３】
また、この実施形態においては、外部に配置されたカメラ４０を通じて、屋外の風景がリアルタイムで、画像表示装置３０の表示面３４に表示されるように構成されているので、現実の屋外の風景をリアルタイムで表示させることができ、実際の窓により近い印象を与えることができる。
【符号の説明】
【００４４】
１  壁面
３  開口部
５  縦壁
６  横壁
１０  疑似窓
２０  窓本体
２２  窓枠
２４  中央窓枠
２６  側方窓枠
２８  透明板
３０  画像表示装置
３２  本体
３４  表示面
４０  カメラ
【図１】
2013143614.tif 000003
【図２】
2013143614.tif 000004
【図３】
2013143614.tif 000005
【図４】
2013143614.tif 000006
【図５】
2013143614.tif 000007